(57)【要約】【課題】粘着テープの周回ごとに切断ガイド部材を設ける必要がなく、任意の位置で粘着テープを切断して使用することができ、さらに種々の粘着テープロールにも適用することができるという汎用性に優れ、使用後に粘着テープのごみなどが付着した部分を容易に剥離することができる粘着テープロール用剥離切断補助具を提供すること。【解決手段】粘着テープが巻回された粘着テープロールの粘着面に貼付することによって用いられる樹脂製帯状体からなる剥離切断補助具であって、粘着テープロールの幅と同一またはそれ以上の長さを有し、幅が３〜１５ｍｍであり、高さが０．５〜５ｍｍであることを特徴とする粘着テープロール用剥離切断補助具。【選択図】図１
0003169356.tif 000002
【実用新案登録請求の範囲】
【請求項１】
粘着テープが巻回された粘着テープロールの粘着面に貼付することによって用いられる樹脂製帯状体からなる剥離切断補助具であって、粘着テープロールの幅と同一またはそれ以上の長さを有し、幅が３〜１５ｍｍであり、高さが０．５〜５ｍｍであることを特徴とする粘着テープロール用剥離切断補助具。
【請求項２】
剥離切断補助具の底面に凹部が形成されてなる請求項１に記載の粘着テープロール用剥離切断補助具。
【請求項３】
剥離切断補助具の上面に切欠き溝が、当該切欠き溝で剥離切断補助具が切断可能に形成されてなる請求項１または２に記載の粘着テープロール用剥離切断補助具。
【請求項４】
剥離切断補助具の長手方向の側端部に粘着テープを切断するための鋸歯状突起が形成されてなる請求項１〜３のいずれかに記載の粘着テープロール用剥離切断補助具。
【考案の詳細な説明】
【技術分野】
【０００１】
本考案は、粘着テープロール用剥離切断補助具に関する。さらに詳しくは、衣類や床上のごみなどを接着させて除去するための粘着テープロールに用いられる粘着テープロール用剥離切断補助具に関する。
【背景技術】
【０００２】
粘着テープロールは、衣類や床上のごみなどをその粘着面で接着させて除去することができることから、一般家庭などで広く使用されている。この粘着テープロールに使用されている粘着テープには、通常、粘着テープを切断するための切れ目が端部に設けられている。粘着テープの粘着面にごみなどが付着した後には、ごみなどが付着した部分を切れ目で切断することにより、新しい粘着面を露出させることができる。
【０００３】
しかし、粘着テープロールの表面に毛髪が巻きついているとき、粘着テープの切れ目で粘着テープを切り離すことが困難である。そこで、粘着テープの切れ目で当該粘着テープを切断することができる粘着テープロールとして、ほぼ１周長ごとに切断用の１本の切れ目が形成され、各切れ目の巻芯側に沿って粘着テープよりも強靭なフィルム基材からなる切断ガイド部材が粘着テープの幅方向に沿って帯状に設けられている粘着テープロールが提案されている（例えば、特許文献１参照）。
【０００４】
しかし、前記粘着テープロールには、粘着テープの周回ごとに切断ガイド部材を設ける必要があるため、製造コストが高くなるという欠点があるのみならず、粘着テープロール自体の直径も大きくなるという欠点がある。さらに、この粘着テープロールには、切断ガイド部材が設けられていない箇所で任意に粘着テープを切断することが困難であるとともに、他の種類の粘着テープロールには当該切断ガイド部材を適用することができないため、汎用性に欠けるという欠点もある。
【先行技術文献】
【特許文献】
【０００５】
【特許文献１】特許第４６３６９２９号公報
【考案の概要】
【考案が解決しようとする課題】
【０００６】
本考案は、前記従来技術に鑑みてなされたものであり、粘着テープロールの周回ごとに切断ガイド部材を設ける必要がなく、任意の位置で粘着テープを切断して使用することができ、さらに種々の粘着テープロールにも適用することができるという汎用性に優れ、使用後に粘着テープのごみなどが付着した部分を容易に剥離させることができる粘着テープロール用剥離切断補助具を提供することを課題とする。
【課題を解決するための手段】
【０００７】
本考案は、
（１）  粘着テープが巻回された粘着テープロールの粘着面に貼付することによって用いられる樹脂製帯状体からなる剥離切断補助具であって、粘着テープロールの幅と同一またはそれ以上の長さを有し、幅が３〜１５ｍｍであり、高さが０．５〜５ｍｍであることを特徴とする粘着テープロール用剥離切断補助具、
（２）  剥離切断補助具の底面に凹部が形成されてなる前記（１）に記載の粘着テープロール用剥離切断補助具、
（３）  剥離切断補助具の上面に切欠き溝が、当該切欠き溝で剥離切断補助具が切断可能に形成されてなる前記（１）または（２）に記載の粘着テープロール用剥離切断補助具、および
（４）  剥離切断補助具の長手方向の側端部に粘着テープを切断するための鋸歯状突起が形成されてなる前記（１）〜（３）のいずれかに記載の粘着テープロール用剥離切断補助具
に関する。
【考案の効果】
【０００８】
本考案の粘着テープロール用剥離切断補助具によれば、粘着テープロールの周回ごとに切断ガイド部材を設ける必要がなく、任意の位置で粘着テープを切断して使用することができるという優れた効果が奏される。また、本考案の粘着テープロール用剥離切断補助具によれば、種々の粘着テープロールにも適用することができるので、汎用性に優れ、使用後に粘着テープのごみなどが付着した部分を容易に剥離させることができるという優れた効果が奏される。
【図面の簡単な説明】
【０００９】
【図１】本考案の粘着テープロール用剥離切断補助具の一実施態様を示す概略斜視図である。
【図２】本考案の粘着テープロール用剥離切断補助具の他の一実施態様を示す概略斜視図である。
【図３】本考案の粘着テープロール用剥離切断補助具の他の一実施態様を示す概略斜視図である。
【図４】本考案の粘着テープロール用剥離切断補助具を使用したときの一実施態様を示す概略説明図である。
【考案を実施するための形態】
【００１０】
本考案の粘着テープロール用剥離切断補助具は、粘着テープが巻回された粘着テープロールの粘着面に貼付することによって用いられる樹脂製帯状体からなる粘着テープロール用剥離切断補助具である。本考案の粘着テープロール用剥離切断補助具は、粘着テープロールの幅と同一またはそれ以上の長さを有し、幅が３〜１５ｍｍであり、高さが０．５〜５ｍｍである点に、１つの大きな特徴を有する。
【００１１】
本考案の粘着テープロール用剥離切断補助具は、前記構成を有するので、粘着テープロールの周回ごとに切断ガイド部材を設ける必要がなく、任意の位置で粘着テープを切断して使用することができるという優れた効果を奏する。また、本考案の粘着テープロール用剥離切断補助具は、種々の粘着テープロールにも適用することができるので、汎用性に優れ、使用後に粘着テープのごみなどが付着した部分を容易に剥離させることができるという優れた効果も奏する。さらに、本考案の粘着テープロール用剥離切断補助具は、粘着テープロールから取り外した後、繰り返して使用することができるので、経済性の面でも優れている。
【００１２】
以下に、本考案の粘着テープロール用剥離切断補助具を図面に基づいて説明するが、本考案は、当該図面に記載の実施態様のみに限定されるものではない。
【００１３】
図１は、本考案の粘着テープロール用剥離切断補助具の一実施態様を示す概略斜視図である。図１に示される粘着テープロール用剥離切断補助具１は、粘着テープロール（図示せず）の幅と同一またはそれ以上の長さを有し、幅が３〜１５ｍｍであり、高さが０．５〜５ｍｍである。
【００１４】
粘着テープロール用剥離切断補助具１の幅Ａは、粘着テープに強固に接着させる観点から、３ｍｍ以上、好ましくは５ｍｍ以上であり、粘着テープに接着させた後、当該粘着テープから容易に離脱させることができるようにする観点から、１５ｍｍ以下、好ましくは１０ｍｍ以下である。
【００１５】
粘着テープロール用剥離切断補助具１の高さＨは、粘着テープに接着させた後、当該粘着テープから容易に離脱させることができるようにする観点から、０．５ｍｍ以上、好ましくは１ｍｍ以上、より好ましくは２ｍｍ以上であり、粘着テープロール用剥離切断補助具１を粘着テープに接着させたときに、粘着テープロール用剥離切断補助具１と粘着テープの表面との段差を小さくするとともに、床上などで粘着テープロールが円滑に回転するようにする観点から、５ｍｍ以下、好ましくは４ｍｍ以下、より好ましくは３ｍｍ以下である。
【００１６】
粘着テープロール用剥離切断補助具１の長さＬは、特に限定されないが、粘着面にごみなどが付着した粘着テープの端部を粘着テープロールから容易に剥離させることができるようにする観点から、粘着テープロールの幅と同一であるかまたはそれ以上の長さであることが好ましい。粘着テープロール用剥離切断補助具１の長さＬは、種々の粘着テープロールに適用することができるようにする観点から、通常、１６０〜２５０ｍｍの範囲内にあることが好ましい。
【００１７】
一般に市販されている粘着テープロールは、樹脂フィルムや紙などからなるテープ基材の表面に粘着剤層が形成された粘着面を有し、その裏面には剥離層が形成された剥離処理面を有する粘着テープが、その粘着面がロール表面に露出するように芯材の周囲に巻回されている。この市販されている粘着テープロールの幅は一定ではなく、種々の幅を有する粘着テープロールが製造販売されている。
【００１８】
したがって、本考案の粘着テープロール用剥離切断補助具１を種々の粘着テープロールの幅に対応させて使用することができるようにするために、粘着テープロール用剥離切断補助具１の長さを長めに設定しておき、粘着テープロールの幅に対応した長さとなるように、本考案の粘着テープロール用剥離切断補助具１を適宜、切断することが好ましい。
【００１９】
さらに、本考案の粘着テープロール用剥離切断補助具１を種々の粘着テープロールの幅に対応させて使用することができるようにするために、例えば、図２に示されるように、本考案の粘着テープロール用剥離切断補助具１の上面に切欠き溝２が、当該切欠き溝２で粘着テープロール用剥離切断補助具１が切断可能に形成されていることが好ましく、当該切欠き溝２が種々の粘着テープロールの各幅に対応する位置で複数形成されていることがより好ましい。このように粘着テープロール用剥離切断補助具１の上面に切欠き溝２が設けられている場合には、粘着テープロールの幅に対応する位置に存在している切欠き溝２で粘着テープロール用剥離切断補助具１を容易に切断することができる。したがって、この粘着テープロール用剥離切断補助具１は、種々の幅を有する粘着テープロールに使用することができるので、汎用性に優れたものである。
【００２０】
本考案の粘着テープロール用剥離切断補助具１の上面形状は、特に限定されず、平面であってもよく、あるいは円弧状であってもよいが、床上などで粘着テープロールが円滑に回転するようにする観点から、図１に示されるように円弧状であることが好ましい。
【００２１】
本考案の粘着テープロール用剥離切断補助具１の底面形状は、特に限定されず、平面であってもよく、あるいは凹部形状であってもよい。しかし、本考案の粘着テープロール用剥離切断補助具１を安定した状態で粘着テープロールに接着させるとともに、粘着テープから容易に離脱させることができるようにする観点から、図１および図２に示されるように、粘着テープロール用剥離切断補助具１の底面に円弧状の凹部３が粘着テープロール用剥離切断補助具１の幅方向に形成されていることが好ましい。凹部３の形状は、特に限定されず、図１および図２に示されるように円弧状の凹部３であってもよく、あるいは四角形状の凹部であってもよい。凹部３は、その凹部３内で粘着テープロールの表面が接触しない深さであることが、粘着テープロール用剥離切断補助具１の長手方向の側端部のみを粘着テープロールの表面と接触させることにより、粘着テープロール用剥離切断補助具１を安定した状態で粘着テープロールに接着させる観点から好ましい。したがって、粘着テープロール用剥離切断補助具１の底面に形成される凹部３は、粘着テープロール用剥離切断補助具１の短手方向（幅方向）の端部のみが粘着テープロールの表面と接触する深さを有する凹部形状であることが好ましい。
【００２２】
本考案の粘着テープロール用剥離切断補助具１の材質は、フローリングなどの木製床を傷つけないようにする観点から、樹脂で構成される。樹脂の代表例としては、合成樹脂が挙げられる。合成樹脂としては、例えば、ポリエチレン、ポリプロピレンなどのポリオレフィン系樹脂、ポリスチレンなどのスチレン系樹脂、ナイロンなどのポリアミド系樹脂、ＡＢＳ樹脂、アクリル樹脂、ポリエチレンテレフタレート（ＰＥＴ）などのポリエステル系樹脂などが挙げられるが、本考案は、かかる例示のみに限定されるものではない。合成樹脂には、粘着テープロール用剥離切断補助具１が静電気を帯びることにより、当該粘着テープロール用剥離切断補助具１自体に埃などが付着することを抑制するために、帯電防止剤が含まれていてもよい。また、合成樹脂の色彩は、合成樹脂自体が有する色（ナチュラル色）であってもよく、必要により顔料などで着色さていてもよい。
【００２３】
また、本考案の粘着テープロール用剥離切断補助具１においては、図３に示されるように、当該粘着テープロール用剥離切断補助具１の短手方向（幅方向）の側端部（長辺端部）に粘着テープを切断するための鋸歯状突起４が形成されていることが好ましい。
【００２４】
このように鋸歯状突起４が形成されている粘着テープロール用剥離切断補助具１を粘着テープの端部付近に貼り付けて使用したとき、粘着テープロール用剥離切断補助具１とともに、汚れが付着した粘着テープを粘着テープロールから容易に剥がすことができるほか、粘着テープロールから汚れが付着した粘着テープを剥離させ、新しい粘着テープの粘着面に当該粘着テープロール用剥離切断補助具１を貼り付けるだけで、鋸歯状突起４により、汚れが付着した粘着テープを切断して除去することができ、さらにその貼り付けた状態で粘着テープロールを使用することができる。
【００２５】
鋸歯状突起４の材質は、特に限定されないが、フローリングなどの木製床などを傷つけないようにする観点から、合成樹脂であることが好ましい。合成樹脂としては、例えば、ポリエチレン、ポリプロピレンなどのポリオレフィン系樹脂、ポリスチレンなどのスチレン系樹脂、ナイロンなどのポリアミド系樹脂、ＡＢＳ樹脂、アクリル樹脂、ポリエチレンテレフタレート（ＰＥＴ）などのポリエステル系樹脂などが挙げられるが、本考案は、かかる例示のみに限定されるものではない。また、鋸歯状突起４は、粘着テープロール用剥離切断補助具１と離脱しないようにするために、粘着テープロール用剥離切断補助具１と同一の材料で一体成形されていることが好ましい。
【００２６】
鋸歯状突起４は、図３に示されるように本考案の粘着テープロール用剥離切断補助具１の短手方向（幅方向）の側端部（長辺端部）の一方側にだけ設けられていてもよく、両側に設けられていてもよい。
【００２７】
次に、本考案の粘着テープロール用剥離切断補助具１を使用したときの一実施態様を図４に基づいて説明する。図４は、本考案の粘着テープロール用剥離切断補助具１を使用したときの一実施態様を示す概略説明図である。
【００２８】
図４において、（ａ）は、粘着テープロール５に巻回されている粘着テープ６の端部６ａに、本考案の粘着テープロール用剥離切断補助具１を貼り付けたときの状態を示す。
【００２９】
粘着テープロール５を使用している間に、その粘着面に埃や毛髪などの汚れが付着する。粘着テープロール５を使用した後、粘着テープロール用剥離切断補助具１を矢印Ｘ方向に引っ張ると、当該粘着テープロール用剥離切断補助具１に追随して、汚れが付着した粘着テープ６を粘着テープロール５から剥離させ、汚れが付着していない粘着ロールの新しい粘着面を露出させることができる。
【００３０】
次に、粘着テープロール用剥離切断補助具１を粘着ロールから剥離させて取り外した後、図４（ｂ）に示されるように、この粘着テープロール用剥離切断補助具１を汚れ７が付着していない粘着ロールの新しい粘着面に付着させる。その後、例えば、粘着テープロール用剥離切断補助具１に形成されている鋸歯状突起４などを利用して、汚れ７が付着した粘着テープ６ｂを切断することにより、当該汚れが付着した粘着テープを除去し、粘着ロールの新しい粘着面を露出させることができる。
【００３１】
このようにして、汚れが付着した粘着テープが除去された粘着テープロール５は、粘着テープロール用剥離切断補助具１が付着しているそのままの状態で再度使用することができる。
【００３２】
以上説明したように、本考案の粘着テープロール用剥離切断補助具１は、粘着テープロールの周回ごとに切断ガイド部材を設ける必要がなく、任意の位置で粘着テープを切断して使用することができる。また、本考案の粘着テープロール用剥離切断補助具によれば、種々の粘着テープロールにも適用することができるので、汎用性に優れ、使用後に粘着テープのごみなどが付着した部分を容易に剥離させることができる。また、本考案の粘着テープロール用剥離切断補助具は、粘着テープロールから取り外した後、繰り返して使用することができるという利点を有する。
【符号の説明】
【００３３】
１    粘着テープロール用剥離切断補助具
２    切欠き溝
３    凹部
４    鋸歯状突起
５    粘着テープロール
６    粘着テープ
６ａ  粘着テープの端部
６ｂ  汚れが付着した粘着テープ
７    汚れ
【図１】
0003169356.tif 000003
【図２】
0003169356.tif 000004
【図３】
0003169356.tif 000005
【図４】
0003169356.tif 000006